(57)【特許請求の範囲】
【請求項１】
内容物が収容された容器の口部に装着されるとともに、注出口が形成されたキャップ本体と、前記キャップ本体に第１ヒンジ部を介して回動可能に連結され、前記注出口を開閉させる内蓋と、前記キャップ本体に第２ヒンジ部を介して回動可能に連結され、前記内蓋を覆う外蓋と、を備える注出キャップであって、
前記内蓋は、前記外蓋に形成された第１被係合部に下側から係合する第１係合部と、この第１係合部に連設されるとともに、前記外蓋から径方向外方に突出された操作部と、を有し、
前記外蓋は、前記内蓋に形成された第２被係合部に下側から係合し、前記操作部の開閉操作にともなって、前記第２被係合部を摺動する第２係合部を有することを特徴とする注出キャップ。
【請求項２】
請求項１に記載の注出キャップであって、
前記第２被係合部は、前記操作部側から前記第１ヒンジ部側へ向けて延びる板状体であり、前記内蓋及び前記外蓋の開放端位置で、該第２被係合部における前記第２係合部の前記第１ヒンジ部側への摺動を規制するストッパーを有することを特徴とする注出キャップ。
【請求項３】
請求項１又は２に記載の注出キャップであって、
前記外蓋の前記第１被係合部と前記第２係合部とによって、前記内蓋が該外蓋の回動方向に挟み込まれていることを特徴とする注出キャップ。
【発明の詳細な説明】
【技術分野】
【０００１】
本発明は、注出キャップに関するものである。
【背景技術】
【０００２】
従来、内容物が収容される容器の口部に装着されて、内容物を注出する注出キャップが知られている。例えば、特許文献１に示される注出キャップは、容器の口部に装着される中蓋（キャップ本体）を有し、この中蓋には、内容物を注出する注ぎ口（注出口）を備えた注出筒が突設されている。また、中蓋には有頂筒状の上蓋（外蓋）が着脱可能に装着され、注出筒の先端には注ぎ口キャップ（内蓋）が注ぎ口に着脱可能に装着されている。
【先行技術文献】
【特許文献】
【０００３】
【特許文献１】実開昭６２−９０３４２号公報
【発明の概要】
【発明が解決しようとする課題】
【０００４】
しかしながら、この種の注出キャップにおいては、容器から内容物を注出する際に、キャップ本体から外蓋を外した後、さらに注出口から内蓋を外す操作が必要であり、操作が面倒であった。
【０００５】
本発明は、このような事情に鑑みてなされたものであって、注出口を開ける操作が簡便に行える注出キャップを提供することを目的としている。
【課題を解決するための手段】
【０００６】
前記目的を達成するために、本発明は以下の手段を提案している。
すなわち、本発明は、内容物が収容された容器の口部に装着されるとともに、注出口が形成されたキャップ本体と、前記キャップ本体に第１ヒンジ部を介して回動可能に連結され、前記注出口を開閉させる内蓋と、前記キャップ本体に第２ヒンジ部を介して回動可能に連結され、前記内蓋を覆う外蓋と、を備える注出キャップであって、前記内蓋は、前記外蓋に形成された第１被係合部に下側から係合する第１係合部と、この第１係合部に連設されるとともに、前記外蓋から径方向外方に突出された操作部と、を有し、前記外蓋は、前記内蓋に形成された第２被係合部に下側から係合し、前記操作部の開閉操作にともなって、前記第２被係合部を摺動する第２係合部を有することを特徴とする。
【０００７】
本発明に係る注出キャップによれば、内蓋の操作部を操作して、該内蓋を開く方向に第１ヒンジ部回りに回動させると、内蓋の第１係合部が外蓋の第１被係合部を押し上げて、該外蓋が第２ヒンジ部回りに回動される。この操作により、内蓋が注出口から離間されて該注出口が開くとともに、外蓋が開いて注出口が露出される。すなわち、内蓋を開ける操作のみで外蓋を開くことができることから、注出口を開ける操作が簡便に行える。
【０００９】
また、内蓋の操作部を操作して、該内蓋を閉める方向に第１ヒンジ部回りに回動させると、内蓋の第２被係合部が外蓋の第２係合部を押し下げて、該外蓋が第２ヒンジ部回りに回動される。すなわち、内蓋を操作して回動させるときに、前述した開ける操作のみならず、該内蓋を閉める際にも、この操作に連動して外蓋が回動するようになっている。従って、注出口を開閉する操作が簡便に行える。
【００１０】
また、本発明に係る注出キャップにおいて、前記第２被係合部は、前記操作部側から前記第１ヒンジ部側へ向けて延びる板状体であり、前記内蓋及び前記外蓋の開放端位置で、該第２被係合部における前記第２係合部の前記第１ヒンジ部側への摺動を規制するストッパーを有することとしてもよい。
【００１１】
本発明に係る注出キャップによれば、内蓋の第２被係合部にストッパーが設けられているので、内蓋を操作して注出口を開けるときに、この第２被係合部と外蓋の第２係合部との係合の解除が確実に防止される。すなわち、内蓋及び外蓋の開放端位置で、外蓋の第２係合部が内蓋のストッパーに当接等されることによって、この第２係合部が第１ヒンジ部側へ向けて第２被係合部をそれ以上摺動するようなことが規制されている。これにより、内蓋を開ける際に、外蓋の第２係合部が内蓋において第２被係合部の形成された領域を超えて第１ヒンジ部側へ摺動して互いの係合が解除されるようなことが防止される。従って、内蓋を操作して注出口を閉めるときに、内蓋の回動にともなって外蓋が確実に回動されて、前述した作用効果が安定して得られる。
【００１２】
また、本発明に係る注出キャップにおいて、前記外蓋の前記第１被係合部と前記第２係合部とによって、前記内蓋が該外蓋の回動方向に挟み込まれていることとしてもよい。
【００１３】
本発明に係る注出キャップによれば、外蓋の第１被係合部と第２係合部との間に内蓋が挟み込まれているので、内蓋及び外蓋の開放端位置においても、これら内蓋と外蓋とが相対的に移動してぐらつくようなことがない。従って、内容物を注出する作業が容易に安定して行える。
【発明の効果】
【００１４】
本発明に係る注出キャップによれば、注出口を開ける操作が簡便に行える。
【図面の簡単な説明】
【００１５】
【図１】本発明の前提となる基本技術を有する参考例に係る注出キャップを示す側断面図であり、注出キャップの閉状態を説明する図である。
【図２】本発明の参考例に係る注出キャップを示す側断面図であり、注出キャップの開状態を説明する図である。
【図３】図２における注出キャップを、注出口に対向する向きから見た側面図である。
【図４】本発明の実施形態に係る注出キャップを示す側断面図であり、注出キャップの閉状態を説明する図である。
【図５】図４における注出キャップを、内蓋の操作部側から見た側面図である。
【図６】本発明の実施形態に係る注出キャップを示す側断面図であり、注出キャップの開状態を説明する図である。
【図７】本発明の実施形態に係る注出キャップの内蓋の変形例を示す側面図である。
【発明を実施するための形態】
【００１６】
（参考例）
以下、本発明の前提となる基本技術を有する参考例に係る注出キャップ１０について、図１〜図３を参照して説明する。
本参考例に係る注出キャップ１０は、内容物が収容された容器１の口部２に装着されて、内容物を注出するものである。この注出キャップ１０は、容器１の口部２に装着されるとともに、注出口３が形成された有頂筒状のキャップ本体４と、キャップ本体４に第１ヒンジ部１１を介して回動可能に連結され、注出口３を開閉させる矩形板状の内蓋５と、キャップ本体４に第２ヒンジ部１２を介して回動可能に連結され、内蓋５を覆う有頂筒状の外蓋６と、を備えている。キャップ本体４及び外蓋６は、共通軸と同軸に配設されている。以下、この共通軸をキャップ軸Ｏといい、キャップ軸Ｏ方向に沿って外蓋６側を上側、キャップ本体４側を下側といい、キャップ軸Ｏに直交する方向を径方向といい、キャップ軸Ｏ回りに沿った方向を周方向という。
【００１７】
容器１における口部２の外周面には、雄ネジ２Ａが形成されている。
また、キャップ本体４は、口部２よりも大径の筒状に形成されて該口部２の径方向外側に配される周壁部７と、この周壁部７の上端開口を覆うように配されて伏椀状をなす天壁部８とを備えている。
【００１８】
キャップ本体４の周壁部７の内周面には、雌ネジ７Ａが形成されていて、口部２の雄ネジ２Ａに螺合されている。周壁部７の外周面における上端の一端には、外蓋６を介して連結する第２ヒンジ部１２が設けられている。また、周壁部７の上端部は、下端部及び中央部よりも一段縮径してフランジ部が形成されている。該フランジ部から起立する周壁には、径方向外方に突出するとともに周方向に沿って延びるリブ状の蓋係止部７Ｂが形成されている。
【００１９】
キャップ本体４の天壁部８は、その外周縁部分８ａが周壁部７の上端部から径方向内方へ向けて突出するとともに周方向に沿って延びる環状をなしている。天壁部８の外周縁部分８ａにおける下面には、口部２の上端開口縁が当接されており、前記下面における口部２の径方向内方には、口部２内に嵌合された筒部８Ａが垂設されている。
【００２０】
また、天壁部８のうち、外周縁部分８ａよりも径方向内方に位置する中央部分８ｂは、該外周縁部分８ａの径方向内端から上方へ向けて膨出するように形成されており、全体として半球状をなしている。また、天壁部８の中央部分８ｂの外周面において、キャップ軸Ｏを径方向に挟む第２ヒンジ部１２の反対側には、傾斜面が設けられ、該傾斜面に注出筒９が斜め上方へ向かうように突設されている。この注出筒９の先端には注出口３が形成されており、注出口３は天壁部８及び口部２の内部を通して容器１の内部と連通している。
【００２１】
また、天壁部８の中央部分８ｂにおける頂面部には、第１ヒンジ部１１が設けられている。第１ヒンジ部１１は、該中央部分８ｂにおいて周方向に沿う注出筒９に対応する位置に配置されていて、天壁部８と内蓋５とを連結している。図３に示されているように、本参考例の第１ヒンジ部１１は、天壁部８と内蓋５とを繋ぐ３つの板状体（３点ヒンジ）からなり、これら板状体のうち、両端に配置された一対の板状体が、弾性を有するとともに内蓋５を開く方向に付勢する付勢板１１Ａとされている。付勢板１１Ａは、図１において内蓋５が閉められた状態では伸長状態とされるとともに、弾性復元力により内蓋５を開ける方向に付勢する。
【００２２】
内蓋５は、径方向内方から径方向外方に向かうに従い漸次上方から下方に向けて延びる平面視長方形状の板状体とされている。そして、内蓋５の上端が、第１ヒンジ部１１に連結されている。また、内蓋５において注出筒９に対向される内面には、注出口３に対応する位置に円柱状の栓部５Ａが突設されている。栓部５Ａの外径は、注出口３の内径と同一又は僅かに大きく設定されており、内蓋５が閉じた状態で、栓部５Ａは注出口３に嵌合されるようになっている。また、内蓋５の内面における第１ヒンジ部１１とは反対側の先端には、該内蓋５の幅方向に延びるリブ状の内蓋被係止部５Ｂが形成されている。内蓋５を閉じた状態において、内蓋被係止部５Ｂはキャップ本体４の蓋係止部７Ｂに係止され、これにより、第１ヒンジ部１１の前述した弾性復元力に抗して内蓋５の閉状態が維持されるようになっている。
【００２３】
また、図１に示すように、内蓋５の先端部外面（内蓋被係止部５Ｂとは反対側の位置）には、キャップ本体４及び外蓋６から径方向外方に突出するとともに該内蓋５の幅方向に沿って延びる鍔状の操作部５Ｃが形成されている。内蓋５を閉めた状態において、操作部５Ｃは第１ヒンジ部１１よりも下側に位置している。内容物を注出する際には、操作部５Ｃを第１ヒンジ部１１回りに回動させ内蓋５を押し上げて、注出口３を開ける操作を行う。また、内蓋５を閉める際には、操作部５Ｃを容器１側へ向けて押し下げて、栓部５Ａを注出口３に嵌合する操作を行う。尚、注出口３を閉める操作は、後述するように外蓋６を押し下げて行ってもよい。
また、内蓋５の外面における操作部５Ｃの第１ヒンジ部１１側には、第１係合部２１Ａが連設されている。
【００２４】
また、伏碗状をなす外蓋６の外径は、キャップ本体４の外径とほぼ同等になっている。外蓋６の外周面における下端部には、第２ヒンジ部１２が設けられている。図２において、第２ヒンジ部１２は、周壁部７と外蓋６とを繋ぐ３つの板状体を有している。前述した第１ヒンジ部１１同様に、第２ヒンジ部１２においては、これら板状体のうち両端に配置された一対の板状体が、弾性を有するとともに外蓋６を開く方向に付勢する付勢板１２Ａとされている。付勢板１２Ａは、図１において外蓋６が閉められた状態では伸長状態とされるとともに、弾性復元力により外蓋６を開ける方向に付勢する。
【００２５】
また、図１において、外蓋６の下端部内は、周壁部７上端部のフランジ部から起立する周壁に嵌合されている。外蓋６の下端部における内部には、径方向内方に突出するとともに周方向に沿って延びるリブ状の外蓋被係止部６Ａが形成されている。外蓋６を閉じた状態において、外蓋被係止部６Ａはキャップ本体４の蓋係止部７Ｂに係止され、これにより、第２ヒンジ部１２の前述した弾性復元力に抗して外蓋６の閉状態が維持されるようになっている。
【００２６】
外蓋６の下端部において、キャップ軸Ｏを径方向に挟む第２ヒンジ部１２の反対側には、矩形凹状をなす切り欠き部６Ｂが形成されている。切り欠き部６Ｂは、下方に向けて開口しており、この切り欠き部６Ｂを画成する３つの辺部のうち、下側を向き、かつ、内蓋５の第１係合部２１Ａに対向する辺部に、第１被係合部２１Ｂが形成されている。第１被係合部２１Ｂは、径方向外方から径方向内方へ向かうに従い漸次上側へ向けて傾斜するテーパ面に形成されていて、内蓋５の第１係合部２１Ａに一様に当接可能とされている。このような構成により、内蓋５の第１係合部２１Ａが、外蓋６の第１被係合部２１Ｂに下側から係合するようになっている。
【００２７】
そして、前述のように内蓋５を押し上げて開ける際、内蓋５の第１係合部２１Ａは、外蓋６の第１被係合部２１Ｂに係合するとともに押し上げて、外蓋６が該内蓋５とともに開けられるようになっている。一方、外蓋６を閉める操作を行うと、外蓋６の第１被係合部２１Ｂが上側から内蓋５の第１係合部２１Ａに係合するとともに押し下げて、内蓋５が該外蓋６とともに閉じられるようになっている。尚、前述のように内蓋５を閉めた後、次いで外蓋６を操作して閉じることとしても構わない。
【００２８】
以上説明したように、本参考例に係る注出キャップ１０によれば、内蓋５の操作部５Ｃを操作して、該内蓋５を開く方向に第１ヒンジ部１１回りに回動させると、内蓋５の第１係合部２１Ａが外蓋６の第１被係合部２１Ｂを押し上げて、該外蓋６が第２ヒンジ部１２回りに回動される。この操作により、内蓋５の栓部５Ａが注出口３から外れるとともに離間されて該注出口３が開くとともに、外蓋６が開いて注出口３が露出される。すなわち、内蓋５を開ける操作のみで外蓋６を開くことができることから、注出口３を開ける操作が簡便に行える。
【００２９】
また、第１ヒンジ部１１が、内蓋５を開く方向に付勢する付勢板１１Ａを備えているので、内容物を注出しやすい。すなわち、容器１を傾けて内容物を注出口３から注出するときに、内蓋５が閉まる方向に回動して注出口３を覆ってしまうようなことが防止されるので、内容物を安定して確実に注出できる。
【００３０】
また、第２ヒンジ部１２が、外蓋６を開く方向に付勢する付勢板１２Ａを備えているので、内容物を注出する際に、外蓋６が閉まる方向に回動して注出の妨げになるようなことがない。また、外蓋６を開いた状態のまま、内蓋５を開閉して使用できる。
【００３１】
また、第１ヒンジ部１１が天壁部８の頂面に配設されており、内蓋５を閉める際には、操作部５Ｃを容器１側へ向けて押し下げる操作となることから、この操作で注出キャップ１０に加えられる外力が容器１を載置した台等に分散されて、操作が安定して行える。また、内蓋５を閉める際に、注出口３から内容物が上方や側方へ向けて飛散するようなことが防止される。
【００３２】
（本発明の実施形態）
次に、本発明の実施形態に係る注出キャップ２０について、図４〜図７を参照して説明する。尚、前述の参考例と同一部材には同一の符号を付し、その説明を省略する。
【００３３】
本実施形態の注出キャップ２０においては、内蓋５の幅方向の両端に、該内蓋５から幅方向に向けて突出するとともに、操作部５Ｃ側から第１ヒンジ部１１側へ向けて延びる鍔状の第２被係合部２２Ｂが形成されている。
【００３４】
また、外蓋６の内周面における下端部には、内蓋５の第２被係合部２２Ｂに下側から係合する鉤状又は爪状の第２係合部２２Ａが一対形成されている。図５に示すように、これら第２係合部２２Ａは、内蓋５の幅方向に沿うように互いに接近する向きに突出して形成されており、上面が平坦面とされ、下面が前記接近する向きへ向かうに従い漸次上側へ向けて傾斜するテーパ面とされている。また、第２係合部２２Ａ同士の間隔は、内蓋５の幅方向に沿う外形寸法（すなわち一対の第２被係合部２２Ｂ同士の幅方向外側間の距離）よりも小さく設定されている。
【００３５】
操作部５Ｃを操作して内蓋５を開閉させる際には、この開閉操作にともなって、外蓋６の第２係合部２２Ａは、内蓋５の第２被係合部２２Ｂ上を摺動する。詳しくは、外蓋６の第２係合部２２Ａは、内蓋５の第２被係合部２２Ｂにおいて注出口３側を向く内面に摺接されつつ、操作部５Ｃと第１ヒンジ部１１との間を該第２被係合部２２Ｂの延在方向に沿って移動する。
【００３６】
また、内蓋５は、外蓋６の第１被係合部２１Ｂと第２係合部２２Ａとによって該外蓋６の回動方向に挟み込まれている。
このような構成により、本実施形態では前述の開閉操作にともなって、外蓋６の第１被係合部２１Ｂが、内蓋５の第１係合部２１Ａ上を摺動する。すなわち、内蓋５の外面における略全体が第１係合部２１Ａとされているとともに、外蓋６の第１被係合部２１Ｂは、内蓋５の第１係合部２１Ａに摺接されつつ、操作部５Ｃと第１ヒンジ部１１との間を移動する。
【００３７】
そして、内蓋５を押し上げて開ける際、内蓋５の第１係合部２１Ａは、外蓋６の第１被係合部２１Ｂに下側から係合するとともに押し上げて、外蓋６が該内蓋５とともに開けられるが、本実施形態では、内蓋５及び外蓋６の開放端位置においても、これら内蓋５と外蓋６との互いの係合が解除されない点が前述の参考例とは異なっている。図６は、内蓋５及び外蓋６の開放端位置を示しており、この状態において、内蓋５は第１ヒンジ部１１の前述した弾性復元力により開位置に維持され、外蓋６は第２ヒンジ部１２の前述の弾性復元力により開位置に維持されている。
【００３８】
一方、操作部５Ｃを操作して内蓋５を閉める際には、内蓋５の第２被係合部２２Ｂが、外蓋６の第２係合部２２Ａに上側から係合するとともに押し下げて、外蓋６が該内蓋５とともに閉められる。
【００３９】
以上説明したように、本実施形態に係る注出キャップ２０によれば、内蓋５の操作部５Ｃを操作して、該内蓋５を閉める方向に第１ヒンジ部１１回りに回動させると、内蓋５の第２被係合部２２Ｂが外蓋６の第２係合部２２Ａを押し下げて、該外蓋６が第２ヒンジ部１２回りに回動される。すなわち、内蓋５を操作して回動させるときに、前述した開ける操作のみならず、該内蓋５を閉める際にも、この操作に連動して外蓋６が回動するようになっている。従って、注出口３を開閉する操作が簡便に行える。
【００４０】
また、外蓋６の第１被係合部２１Ｂと第２係合部２２Ａとの間に内蓋５が挟み込まれているので、内蓋５及び外蓋６の開放端位置においても、これら内蓋５と外蓋６とが相対的に移動してぐらつくようなことがない。従って、内容物を注出する作業が容易に安定して行える。
【００４１】
尚、本発明は前述の実施の形態に限定されるものではなく、本発明の趣旨を逸脱しない範囲において種々の変更を加えることが可能である。
例えば、本発明の実施形態においては、図７に示すように、内蓋５の第２被係合部２２Ｂが、内蓋５及び外蓋６の開放端位置で、該第２被係合部２２Ｂにおける第２係合部２２Ａの第１ヒンジ部１１側への摺動を規制するストッパー２３を有することとしてもよい。詳しくは、ストッパー２３は、第２被係合部２２Ｂの内面における第１ヒンジ部１１側の端部に一対配置されており、該内面から突出して形成されているとともに、内蓋５の幅方向に沿って延びるリブ状をなしている。
【００４２】
そして、注出口３を開ける操作を行う際に、前記開放端位置において、ストッパー２３における操作部５Ｃ側を向く面と、外蓋６の第２係合部２２Ａにおける第１ヒンジ部１１側を向く面とが互いに当接するようにされている。
この場合、内蓋５を操作して注出口３を開けるときに、内蓋５の第２被係合部２２Ｂと外蓋６の第２係合部２２Ａとの係合の解除が確実に防止される。
【００４３】
すなわち、内蓋５及び外蓋６の開放端位置で、外蓋６の第２係合部２２Ａが内蓋５のストッパー２３に当接されることによって、この第２係合部２２Ａが第１ヒンジ部１１側へ向けて第２被係合部２２Ｂ上をそれ以上に摺動するようなことが規制される。これにより、内蓋５を開ける際に、外蓋６の第２係合部２２Ａが内蓋５において第２被係合部２２Ｂの形成された領域を超えて第１ヒンジ部１１側へ摺動して互いの係合が解除されるようなことが防止される。従って、内蓋５を操作して注出口３を閉めるときに、内蓋５の回動にともなって外蓋６が確実に回動されて、本発明の実施形態において説明した作用効果が安定して得られる。
【００４４】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４５】
１  容器
２  口部
３  注出口
４  キャップ本体
５  内蓋
５Ｃ  操作部
６  外蓋
１０、２０  注出キャップ
１１  第１ヒンジ部
１２  第２ヒンジ部
２１Ａ  第１係合部
２１Ｂ  第１被係合部
２２Ａ  第２係合部
２２Ｂ  第２被係合部
２３  ストッパー
【図１】
0005409301.tif 000002
【図２】
0005409301.tif 000003
【図３】
0005409301.tif 000004
【図４】
0005409301.tif 000005
【図５】
0005409301.tif 000006
【図６】
0005409301.tif 000007
【図７】
0005409301.tif 000008